(57)【要約】  本発明は、アレスタ装置（１）を備えた自動車ドアに関し、所定位置に自動車ドアを保持する為の磁気粘性流体を特徴とし、磁気粘性流体を固化する為のコイル（１０）がアレスタ装置内に存在し、液密内部空間に隣接して配置され、内部空間は、一つ又は複数のコンポーネント（２，３，４）を包含し、これらは、内部空間内で一つ又は複数の他のコンポーネントに対して移動可能であり、これらのコンポーネント（２，３，４，１８，２３，２４）間の相対運動は、磁気粘性流体を固化させることによって少なくとも遅くされ、相対運動を遅くすることにより自動車ドアを所定位置で保持させる。本発明の対象は、自由に選択できる位置で自動車ドアを信頼性良く保持することを可能にする。また、本発明は、自動車ドアの為のアレスタ装置に関する。【選択図】  図２
2020502393.tif 000002
【特許請求の範囲】
【請求項１】
アレスタ装置（１）を備えた自動車ドアにおいて、
前記自動車ドアを所定位置で保持する為の磁気粘性流体を特徴とし、
前記磁気粘性流体を固化させる為のコイル（１０）は、前記アレスタ装置内に存在し、液密内部空間に隣接して配置され、前記内部空間は、一つ又は複数のコンポーネント（２，３，４）を包含し、前記一つ又は複数のコンポーネント（２，３，４）は、前記内部空間内の一つ又は複数の他のコンポーネント（１８，２３，２４）に対して移動可能であり、これらのコンポーネント（２，３，４，１８，２３，２４）間の相対運動は、前記磁気粘性流体を固化させることによって少なくとも遅くされ、前記相対運動を遅くすることによって、前記自動車ドアを所定位置で保持させる、自動車ドア。
【請求項２】
前記コイル（１０）は、コイルコア（１２）を備え、前記コイルコア（１２）は、永久磁石であり、ＡｌＮｉＣｏから作られていることを特徴とする、請求項１に記載の自動車ドア。
【請求項３】
前記コイル（１０）は、内部空間内に位置し、内壁は、磁化可能な材料から作られ、特に、磁化可能な鋼から作られることを特徴とする、請求項２に記載の自動車ドア。
【請求項４】
キャップ（２）がカバー（１５）によって液密に密封され、
前記キャップ（２）およびカバー（１５）は、前記内部空間を形成し、前記内部空間は、磁気粘性流体を包含し、前記キャップ（２）は、前記内部空間の一つ又は複数の他のコンポーネント（１８，２３，２４）に対して移動可能なコンポーネントであることを特徴とする、請求項１〜３のいずれか一項に記載の自動車ドア。
【請求項５】
前記キャップ（２）は、ブレーキディスク（４）と耐トルク式に連結されていることを特徴とする、請求項４に記載の自動車ドア。
【請求項６】
前記キャップ（２）および／またはブレーキディスク（４）は、磁化可能な材料から作られ、特に、磁気可能な鋼から作られることを特徴とする、請求項４〜５のいずれか一項に記載の自動車ドア。
【請求項７】
前記キャップ（２）およびディスク（２）は、非磁化材料から作られたコンポーネント（３）によって互いに分離されていることを特徴とする、請求項６に記載の自動車ドア。
【請求項８】
非磁化材料から作られた前記コンポーネント（３）は、前記キャップ（２）およびブレーキディスク（２）を耐トルク式に連結することを特徴とする、請求項７に記載の自動車ドア。
【請求項９】
前記ブレーキディスク（４）は、２つのディスク（２３，２４）間にあり、前記ブレーキディスク（４）は、前記２つのディスク（２３，２４）に対して移動可能であり、前記ディスク（２３，２４）および前記ブレーキディスク（４）の間の中間空間（２５）があり、前記中間空間（２５）は、磁気粘性流体を包含することを特徴とする、請求項１〜８のいずれか一項に記載の自動車ドア。
【請求項１０】
前記他の一つ又は複数のコンポーネントは、一つ又は複数のディスク（２３，２４）を含み、前記一つ又は複数のディスク（２３，２４）は、磁化材料から作られ、特に、磁化可能な鋼から作られ、もって、前記一つ又は複数のディスク（２３，２４）は、耐トルク式にスリーブ（１８）と連結されていることを特徴とする、請求項１〜９のいずれか一項に記載の自動車ドア。
【請求項１１】
前記スリーブ（１８）は、非磁化材料から作られ、特に、プラスチックから作られることを特徴とする、請求項１〜１０のいずれか一項に記載の自動車ドア。
【請求項１２】
前記アレスタ装置（１）は、非磁化材料から作られたベースプレート（６）を含むことを特徴とする、請求項１〜１１のいずれか一項に記載の自動車ドア。
【請求項１３】
前記ベースプレート（６）は、一つ又は複数の穴（２９）を有し、前記一つ又は複数の穴（２９）は、前記ベースプレート（６）の前記固定された取り付けを可能にすることを特徴とする、請求項１２に記載の自動車ドア。
【請求項１４】
軸（５）が耐トルク式に前記キャップ（２）に連結され、前記軸（５）は、前記軸（５）がダウンスラストとして使用できるように前記アレスタ装置から突き出ていることを特徴とする、請求項４〜１３のいずれか一項に記載の自動車ドア。
【請求項１５】
所定位置に自動車ドアを保持する為のアレスタ装置（１）において、所定位置に前記自動車ドアを保持する為の磁気粘性流体を特徴とし、
前記磁気粘性流体を固化する為のコイル（１０）が前記アレスタ装置内に存在し、それが、液密内部空間に隣接して配置され、前記内部空間は、一つ又は複数のコンポーネント（２，３，４）を包含し、前記一つ又は複数のコンポーネント（２，３，４）は、前記内部空間内で、一つ又は複数の他のコンポーネント（１８，２３，２４）に対して移動可能であり、これらのコンポーネント（２，３，４，１８，２３，２４）間の相対運動は、前記磁気粘性流体を固化することによって少なくとも遅くされ、前記相対運動を遅くすることによって、前記自動車ドアを所定位置で保持させる、アレスタ装置。
【発明の詳細な説明】
【技術分野】
【０００１】
本発明は、自動車ドアを所定位置に保持する為の磁気粘性流体を含むアレスタ装置を備えた自動車ドアに関する。さらに、本発明は、自動車ドア又はフラップを開いた位置で保持する為のアレスタ装置に関する。
【０００２】
磁気粘性流体は、十分に強い磁界が発生したときに固化する流体である。磁気粘性流体は、内部に分散された磁気的に分極可能な粒子を有するキャリア流体を含む。磁界の発生により、これらの粒子を分極させる。分極された粒子の配列により、懸濁液が粘性になる。発生磁界の磁界強度が大きいほど、磁気粘性流体は、より粘性になる。
【０００３】
磁気粘性流体の、この特性は、継手などと共に使用される。磁気粘性流体が未硬化状態にある場合、継手の一方の部分は、継手の他方の部分に対して移動することができる。磁気粘性流体が固化すると、これが、運動能力を低下させる。
【０００４】
磁気粘性流体を用いた継手は、たとえば、印刷公報DE 102015204688 A1, WO 2013053344 A1, DE 102005011826 A1, US 2012085613 A, DE 102008022268 A1, DE 102007020867 A1, WO 07022910 A2から知られている。
【０００５】
自動車ドアの場合において、これらを開いた位置に保てることは一般的である。そのため、自動車ドアを、通常、半開位置に保持することができる。そのように半開位置から自動車ドアを旋回させるには、加える力を大きくする必要がある。これを半開位置に保つことによって、壁または自動車のような隣接した物体と衝突する場合に損傷を生じ得る、自動車ドアが偶発的に更に開くことを防止する。
【０００６】
一般的な解決策の欠点は、自動車ドアが、自由に選択可能な開位置で保持できないことである。
【０００７】
印刷公報WO 2013/053344 A1は、自動車ドア用のアレスタ装置を提示し、これによって、自由に選択可能な開位置で自動車ドアを保持することができる。これによって、アレスタ装置は、液圧媒体で満たされたチャンバと、変位体と、バルブとを備える。しかしながら、そのようなアレスタ装置は、それ自体、実際には判明されていない。保持力は、低すぎることが特に多い。
【発明の概要】
【０００８】
本発明は、技術的に単純であり、信頼性が良く、所望の開位置で自動車のドアを恒久的に保持できるアレスタ装置を備えた自動車ドアを提供することを目的とする。
【０００９】
本発明の目的は、請求項１の特徴部分を備えた自動車ドアによって解決される。そのような自動車ドアの為のアレスタ装置は、追加の請求項の特徴部を含む。有利な設計例は、従属形式の請求項の結果である。
【００１０】
この課題を解決するため、自動車ドアは、アレスタ装置を示し、このアレスタ装置は、所定位置に自動車ドアを保持する為に磁気粘性流体を含む。この磁気粘性流体を固化する為のコイルが、アレスタ装置内に存在する。コイルは、液密の内部空間に隣接して配置されている。内部空間は、コンポーネントを包含し、これらのコンポーネントは、内部空間内で他のコンポーネントに対して移動できる。これらのコンポーネント間の相対運動は、磁気粘性流体を固化することによって少なくとも遅くすることができる。流体が十分に固化される場合、これが、相対運動を防止する。相対運動を遅くすること、又は防止が、自動車ドアを所定位置に保持させる。
【００１１】
これによって、多くの力が加えられるときに自動車ドアを所定位置に保持できる。さらに、自動車ドアを任意の開位置で保持することも、連続して可能である。磁気粘性流体は、関連した張力をコイルに発生させることによって固化する。
【００１２】
コイルは、フェライトロッドを含み、これを用いて、コイルによって発生可能な磁界の効果を適切に強化できる。フェライトロッドは、永久磁石、即ち、たとえば、AINiCoを備えることが好ましい。永久磁石とともに、低電気出力は、磁気粘性流体を十分に固化させ、自動車ドアを所定位置に保持するのに十分である。本発明の変形例において反対張力が発生される場合、これは、永久磁石の影響を減少させることができる。これにより、必要に応じて、自動車ドアの可動性を緩和することができる。
【００１３】
コイルは、内壁が、磁化可能な材料、特に、磁化可能な鋼から作られた内部空間に配置されるのが好ましい。この内部空間は、下の内部空間とも呼ばれる。コイルに対応した電圧を発生させることによって、磁気粘性流体を、小さな電力で、より良好に固化させることができる。コイルが置かれる内部空間は、２つのディスクおよびキャップの内壁部分によって形成されるのが好ましい。その後、キャップをディスクに対して回転させることができる。他のディスクは、カバーとして作用し、このカバーは、キャップ内部の追加の内部空間を作り出す。その時、磁気粘性流体は、追加の内部空間の中にある。その後、上の内部空間とも呼ばれる追加の内部空間は、液密で密封される。その時、追加の内部空間の内壁も、小さな電力で、より良好に磁気粘性流体を固化できるようにするため、磁化可能な材料から作られるのが好ましい。
【００１４】
そのため、本発明の変形例において、キャップは、前述したカバーのお陰で、液密に密封される。キャップおよびカバーは、追加または上の内部空間を形成し、ここに、磁気粘性流体を包含する。この実施形態の為のキャップは、この内部空間の一つ又は複数の他のコンポーネントに対して移動できるコンポーネントである。この発明の目的のため、キャップは、前側に向かって開いている。他方の前側は、少なくとも主に閉じられている。好ましくは、キャップによって包囲される空間内の汚染を防止するため、それは閉じられている。
【００１５】
キャップは、高い制動力を達成するために、耐トルク式に（torque-proof）ブレーキディスクと連結されているのが好ましい。ブレーキディスクは、キャップの中空円筒状内壁から、径方向内側で、内部空間に延びている。一つの設計例において、ブレーキディスクは、スリーブおよび／または軸に接近するが、スリーブまたは軸に接触することはない。ブレーキディスクおよびスリーブ等の間には、依然として隙間が存在する。
【００１６】
原則として、ブレーキディスク、スリーブおよび／または軸は、非磁化材料から作られており、有害な磁気短絡を防止する。磁気粘性流体の所望の固化と、これを用いた制動効果とは、そのような磁気短絡によって悪影響を受ける可能性がある。
【００１７】
キャップおよび／またはブレーキディスクは、僅かな電力で磁気粘性流体をより良好に固化できるように、磁化可能な材料、特に、磁化可能な鋼から作られることが好ましい。
【００１８】
キャップおよびブレーキディスクは、非磁化材料から作られるコンポーネントによって分離されるのが好ましい。これにより、磁気粘性流体の所望の固化およびこれを用いた制動効果に悪影響を及ぼし得る有害な磁気短絡も防止できる。
【００１９】
非磁化材料から作られたコンポーネントは、キャップおよびブレーキディスクを互いに耐トルク式に連結し、僅かな組立空間および少数の部品で、両方の特定されたコンポーネントを耐トルク式に互いに連結する。ブレーキディスクによって、必要に応じてキャップの回転運動を極めて遅くすることができる。
【００２０】
ブレーキディスクは、少なくとも一つの固定された表面と隣り合い、即ち、磁気粘性流体がある、表面およびブレーキディスクの間に隙間が依然として存在するようにしている。磁気粘性流体が隙間内で固化される場合、これが、その後、ブレーキディスクの運動を遅くする。ブレーキディスクは、２つの固定された表面、即ち、２つのディスクの間にあるのが好ましい。２つのディスクは、その後、ブレーキディスクに対して固定されて装着される。２つのディスクおよびブレーキディスクの間には、隙間形式の、磁気粘性流体を包含する中間空間が依然として存在する。ブレーキディスクは、２つのディスクに対して移動可能である。この設計例を用いて、制動（braking）が更に改善される。隙間の幅は小さく、好ましくは５ｍｍ未満、好ましくは１ｍｍ未満、特に好ましくは０．５ｍｍ未満であり、より効率的に制動することができる。
【００２１】
僅かな電力で良好に制動可能にするため、前述した固定表面または一つ又は複数のディスクは、磁化可能な材料、特に、磁化可能な鋼から作られるのが好ましい。
【００２２】
好都合な設計例は、スリーブと耐トルク式に連結された一つ又は複数のディスクを有する。スリーブは、ブレーキディスクに対して固定されて装着される。
【００２３】
スリーブは、磁気短絡を防止し、従って、結果として、制動効果が損なわれることを防止するため、非磁化材料、特に、プラスチックから作られるのが好ましい。
【００２４】
アレスタ装置は、非磁化材料から作られるベースプレートから成る。このベースプレートは、制動効果の観点で電力損失を許容する必要がなく、自動車にアレスタ装置を装着する為に、或いは、それを自動車のドアに連結する為に使用される。
【００２５】
ベースプレートは、一つ又は複数の穴を包含し、これらの穴により、ベースプレートを自動車または自動車ドアに対して固定された位置に装着することができる。
【００２６】
設計例において、軸は、耐トルク式にキャップと連結されるのが好ましい。軸は、制動効果における電力損失を防止する為に非磁化材料から作られるのが好ましい。キャップの回転装着の為に軸を使用できる。いったん、軸が耐トルク式でキャップに連結されると、その後、軸は、ダウンスラスト（downthrust）として使用できる。この場合、軸は、アレスタ装置の外に送られるので、外に送られた部分は、ダウンスラストとして使用できる。
【００２７】
設計例において、磁気粘性流体を包含する空間は、断面が蛇行形状を有する。表面上、この空間は、前述したキャップおよびカバーによって制限される。これに加えて、蛇行形状は、前述したディスクによって、更に、ブレーキディスクによって作り出される。この設計例では、上の内部空間の壁領域も制動効果に寄与することから、特に大きな力で制動することが可能である。
【００２８】
設計例において、軸は、上の内部空間の指定領域を磁気粘性流体で満たす為に使用できる密封可能ラインを提供する。そのため、このラインは、外側から、磁気粘性流体の為に設計された上の内部空間の領域まで延びている。このラインは、密封できる。
【００２９】
代替または追加のオプションは、外側から、磁気粘性流体で満たされるべき領域まで延びる供給ラインをキャップ内に設けることである。この供給ラインは、その後、密封できる。
【００３０】
磁気粘性流体と隣り合う表面は、磁化可能な表面上の堆積物を防止する為に、プラスチックのような非磁化材料で覆われるのが好ましい。
【００３１】
また、本発明は、前述した特徴の一つ又は複数を備えた、換言すると、車両ドアとは別個のアレスタ装置に関する。
【００３２】
そのため、本発明は、追加の請求項の特徴部を備えたアレスタ装置に関する。
【図面の簡単な説明】
【００３３】
以下、例示的実施形態に基づき、本発明を更に詳細に説明する。
【図１】図１は、部分的に切り開いた状態のアレスタ装置の第１斜視図である。
【図２】図２は、アレスタ装置の第２斜視図である。
【図３】図３は、アレスタ装置の他の図である。
【図４】図４は、拡大された断面図である。
【発明の詳細な説明】
【００３４】
図１および図２に示されたアレスタ装置１は、互いに耐トルク式に連結された、旋回可能なコンポーネント２，３，４を示す。そのため、コンポーネント２，３，４は、剛体のように動く。これらのコンポーネント２，３，４は、軸５を中心として、回転対称に構成されている。コンポーネント２，３，４は、軸５の長手方向の軸を中心として回転可能である。
【００３５】
コンポーネント２は、キャップ上ハウジングであり、磁化可能な材料から作られた「キャップ」と呼ばれ、例示的実施形態では、磁化可能な鋼から作られている。キャップ２は、円筒形シースを含み、円筒形シースは、一方の前側で閉じられ、他方の前側で開いている。キャップ２は、一つの部品として、或いは、複数の部品として製造可能である。
【００３６】
キャップ２が複数の部品として製造される場合、キャップ２は、独立して製造された別個の部品から構成され、これらは、しっかりと互いに連結されている。
【００３７】
最初に或いは完全に磁化可能な材料から作られるキャップ２は、一方の側で開いており、ベースプレート６と隣り合う開口縁部１３（図３を参照）を有する。キャップ２およびベースプレートは、空間を包囲する。磁化可能な鋼から作られたキャップのように、磁化可能な材料から作られたディスク７は、非磁化材料から作られたベースプレート６に装着されている。ディスク７の外縁部８は、キャップ２の内壁９と隣り合う（図３を参照）。これは、キャップ２及びベースプレート６によって作り出された空間の内壁が完全に磁化可能な材料から作られることを意味する。これは、コイル１０によって発生可能な磁界の所望の効果を強める磁化可能な材料から作られたケージを提供し、関連する自動車ドアを制動し、僅かなエネルギ消費で保持することができる。
【００３８】
コイル１０は、ディスク７に装着される。コイル１０は、ディスク７の外縁部と隣り合い、ベースプレート６及びキャップ２によって作り出された空間内に置かれる。その空間は、２つの部分から成り、上の内部空間と下の内部空間とを含む。下の内部空間は、ディスク７と隣り合う。下の内部空間は、コイル１０を包含する。下の内部空間の内壁は、コイル１０によって発生可能な磁界の所望の効果を強める為に、磁化可能な鋼から作られている。
【００３９】
操作中にコイル１０に電力を供給する電気接続部１１は、外側からベースプレート６を通り、ディスク７を通り、コイル１０に進み、コイル端部に対して導電性接続部を有する。AINiCoから作られた永久磁石の形態のコイル１０内部にはコア１２がある。電流がコイルを通って流れる場合、電流の方向にもよるが、永久磁石１２の磁界を、強める或いは弱めることができる。
【００４０】
磁気短絡を防止するため、コンポーネント３は、非磁化材料から作られたスリーブであり、キャップ２の隣り合う内壁に付加されている。内側に突出する２つのラグ１４を用いて、スリーブ３は、Ｕ字状にコンポーネント４を取り囲み、これによって、コンポーネント４は、しっかりとスリーブ３に連結される。コンポーネント４は、軸５を通す為の中心穴を有するディスクである。コンポーネント４は、ブレーキディスクとして作用するため、ブレーキディスク４とも呼ばれる。スリーブ３は、プラスチックから作られ、金属表面を堆積物から保護する。
【００４１】
キャップ２及びベースプレート６によって作り出された空間は、ディスク１５によって分割される。ディスク１５は、このディスク１５が、ここで作り出された上の内部空間の為のカバーとして作用することから、カバーと呼ばれる。磁気粘性流体を包含する上の内部空間の非常に小さな領域は、外側に液密に密封されている。上の内部空間は、キャップ２の閉じられた前側と隣り合う領域である。カバー１５が十分に液密に密封されることを確実にするため、外縁部のカバー１５は、周囲リングシール１６を含み、周囲リングシール１６は、キャップ２の段状ラグ１７に対して押し付けられる。
【００４２】
軸５は、この上の内部空間へ行き、即ち、スリーブ１８を通り、周囲リングシール１９を通る。スリーブ１８は、軸５が回転することを可能にし、したがって、しっかりと軸５に連結されていない。スリーブ１８は、プラスチックで作られており、したがって、非磁化材料から作られている。スリーブ１８は、図４に示されるように、凹部２０を含み、そこに、リングシール１９が延びている。それぞれのリングシール１９は、液密で、そのような凹部２０のベースと隣り合う。各リングシール１９は、周囲リップ２２（図４を参照）をも有し、周囲リップ２２は、カバー１５の段状凹部に液密に当接し、或いは、図４に示された段状凹部２１に当接する。
【００４３】
２つのディスク２３，２４は、耐トルク式にスリーブ１８に連結されている。２つのディスク２３，２４は、軸５から始まり、上の内部空間へと径方向に延びており、その結果、ブレーキディスク４は、両方のディスク２３，２４の間にある。ディスク２３及びディスク２４と内部空間の上の部分の内壁との間には依然として小さな隙間状空間がある。また、スリーブ３とディスク２４，２５との間には小さな隙間状の中間空間がある。
【００４４】
これに加えて、ブレーキディスク４およびディスク２３，２４の間にも隙間状の空間がある。さらに、ブレーキディスク４は、スリーブ１８に向かって行くだけなので、ブレーキディスク４およびスリーブ１８の間には、軸５が通り抜ける隙間状の空間が残されている。これにより、断面が蛇行形状の空間２５が作り出される。
【００４５】
この横断面が蛇行形状の空間２５は、カバー１５に向かってだけでなく、キャップ２の閉じられた前側に向かって、すなわち、図４に拡大して示されるものと同様に、耐液式に（liquid-proof）密封されている。蛇行形状空間２５は、磁性粘性流体で満たされる。
【００４６】
列挙されたシールは、一つ又は複数の弾性材を含む。
【００４７】
キャップ２の回転運動を妨げないように、カバー１５及びコイル１０の外縁部とキャップ２の隣り合う内壁との間には隙間２６がある。
【００４８】
例示の実施形態において、キャップ２には、外周に沿って歯車２７が備えられている。歯車２７は、たとえば、駆動装置によって電力が供給可能なウォームに連結可能である。
【００４９】
これにより、駆動装置からの助けを借りて、キャップ２を、軸５を中心として回転させることができる。歯車は、制動効果が悪影響を受けないようにするため、非磁化材料から作られるのが好ましい。
【００５０】
非磁化材料から作られるベースプレート６は、穴２９が通る、側方に突出する３つのタブを含む。これにより、穴２９を通して入れられるネジ又は溝ジョイントを使用して、ベースプレートを自動車に付加することができる。
【００５１】
軸５は、２つのベアリングヨーク３０によって装着される。軸５は、耐トルク式にキャップ２と連結されるので、軸５の外側に導く部分（図１を参照）は、ダウンスラストとして使用できる。一つのベアリングヨーク３０は、キャップ２の閉じられた前側端部に置かれている。他のベアリングヨーク３０は、永久磁石１２に延びている。
【００５２】
軸５の外側に導く部分がダウンスラストとして使用される場合、軸は、耐トルク式にキャップ２と連結される。この場合、図４に示されるベアリングヨーク３０は、キャップ２の閉じられる前側に置かれ、キャップ２を軸５に連結する。その後、軸５は、スリーブ１８に装着されるので、旋回でき、この理由から、固定されたスリーブ１８に対して回転できる。回転運動中、摩擦損失を最小限に保つため、スリーブ１８は、スリーブ３０のフランジ３２に隣接した、周囲に突出するノーズ３１を取り囲む。次に、図４において拡大されて示されるように、スリーブ３０の径方向に突出するフランジをノーズ３１に位置する。次に、しっかりと下のベアリングヨーク３０にスリーブ１８を連結することができ、それを今度は、しっかりと永久磁石１２に連結することができる。代替的に、またはこれに加えて、スリーブ１８は、固定取付けのために、カバー１５と耐トルク式に連結できる。その後、カバーは、キャップ２と一緒に回転できず、したがって、固定されて装着され、それ故、たとえば、コイル１０および／またはコイルの磁気コア１２と耐トルク式に連結される。コイル１０及び磁気コア又は磁石１２は、ベースプレート６と、即ち、ディスク７に対して、耐トルク式に装着される。
【００５３】
磁気粘性流体と隣り合う壁領域は、磁化可能表面上の有害な蓄積を防止するため、非磁性材料、特に、プラスチックで覆われている。
【００５４】
コイルに電圧を印加することによって、永久磁石１２の磁界は、増減可能である。これにより、キャップ２の回転運動を停止状態まで遅くすること、或いは、可動性を高めることができる。全体の構造は、小さな電流が使用されること、それにも拘わらず十分に大きな磁界が磁気粘性流体に印加され、磁気粘性流体を固化させることを確実にする。固化は、ドア又はフラップの回転運動の継続が著しく遅くされるか、ほぼ完全に防止さえされるような強い制動効果を生み出すことができる。基本状態において、コイル１０に何も電圧が印加されないとき、回転運動は可能であるが、比較的困難であってもよい。
【００５５】
自動車ドアは、ドア又はフラップを開ける為に使用される一つ又は複数のセンサ、たとえば、一つ又は複数の近接センサを含んでもよい。そのような電圧を、制御ユニットを介してコイル１０に印加することができ、これによって、キャップ２の運動が高められる。次に、たとえば、ウォームによって歯車２７に係合する電気駆動装置を通じて、ドアは、開いた位置又は閉じた位置のいずれかまで、非常に僅かな労力で旋回できる。図１に示された軸５の、突出する端部は、その後、開放方向または閉鎖方向の運動の為に、自動車ドアにおける回転運動を導くように使用可能である。いったん所望の位置のドアに達すると、反対電圧が印加され、或いは、全く電圧が印加されない。最初の場合、ドアは、非常に高い保持力によって、所定位置、即ち、任意の所望の位置に保持される。二番目の場合、ドアを、少なくとも移動し続けることができるが、より困難であり、そのため、一定の保持力によって、この位置に保持される。
【００５６】
完全自動方式にドアを開閉可能にするため、それは、障害物に対する接近を検出する一つ又は複数の近接センサを含む。その結果、ドアの開放運動は、その障害物に到達する前に停止され、損傷を防止する。
【００５７】
【符合の説明】
【００５８】
１…アレスと装置、２…キャップ、３…スリーブ、４…ブレーキディスク、５…軸、６…ベースプレート、７…磁化可能なプレート、８…磁化可能なディスクの外縁部、９…キャップの内壁、１０…コイル、１１…電気接続ライン、１２…コイルコア、永久磁石、１３…キャップの開口縁部、１４…突出部、１５…カバー、１６…周囲ガスケット、１７…段部、１８…スリーブ、１９…周囲密封リング、２０…窪み、２１…段部、２２…周囲密封リングの、突出するリップ、２３…ディスク、２４…ディスク、２５…磁気粘性流体で満たされる空間、２６…隙間、２７…歯車、２８…ベースプレートのタブ、２９…タブ内の穴、３０…ベアリングヨーク、３１…突出するノーズ、３２…フランジ。
【図１】
2020502393.tif 000003
【図２】
2020502393.tif 000004
【図３】
2020502393.tif 000005
【図４】
2020502393.tif 000006
【国際調査報告】
2020502393.tif 000007
2020502393.tif 000008
2020502393.tif 000009
2020502393.tif 000010
2020502393.tif 000011
2020502393.tif 000012